(57)【要約】【課題】  両替を希望する者の両替内訳要求に応えることができる商品販売データ処理装置を提供する。【解決手段】  両替宣言手段により両替処理が宣言されると、金種毎の枚数の設定が可能になり、金種毎の枚数が設定されると（Ｓ２２〜２７）、設定された枚数を払い出すように貨幣入出金装置に対する指示がなされる（Ｓ２９）。これにより、両替を希望する者の両替内訳要求に応えることができる。【選択図】    図１２
2005228100.tif 000002
【特許請求の範囲】
【請求項１】
商品の販売に係る販売データを処理する商品販売データ処理装置において、
貨幣を金種別に収納して収納された貨幣を払い出すようにした貨幣入出金装置とのデータ通信を司るデータ通信手段と、
両替処理を宣言する両替宣言手段と、
この両替宣言手段による宣言に応じ、金種毎の枚数を設定させる金種枚数設定手段と、
この金種枚数設定手段により設定された枚数を払い出すように前記データ通信手段を介して前記貨幣入出金装置に指示する払出枚数指示手段と、
を備えることを特徴とする商品販売データ処理装置。
【請求項２】
前記金種枚数設定手段における金種毎の払出枚数の設定は、前記貨幣入出金装置内に収納されている枚数を最大枚数とする、
ことを特徴とする請求項１記載の商品販売データ処理装置。
【請求項３】
前記金種枚数設定手段における金種毎の払出枚数の設定が前記貨幣入出金装置内に収納されている枚数を超えた場合には、超えた分について下位の金種に振り替える、
ことを特徴とする請求項１記載の商品販売データ処理装置。
【請求項４】
前記金種枚数設定手段における金種毎の払出枚数の初期値は、予め設定された両替金額に応じた払出パターンに基づいて決定される、
ことを特徴とする請求項１ないし３の何れか一記載の商品販売データ処理装置。
【請求項５】
貨幣を金種別に収納して収納された貨幣を払い出すようにした貨幣入出金部と、商品の販売に係る販売データを処理する商品販売データ処理部とを具備する商品販売データ処理システムにおいて、
両替処理を宣言する両替宣言手段と、
この両替宣言手段による宣言に応じ、金種毎の枚数を設定させる金種枚数設定手段と、
この金種枚数設定手段により設定された枚数を払い出すように前記貨幣入出金部に指示する払出枚数指示手段と、
を備えることを特徴とする商品販売データ処理システム。
【請求項６】
前記金種枚数設定手段における金種毎の払出枚数の設定は、前記貨幣入出金部内に収納されている枚数を最大枚数とする、
ことを特徴とする請求項５記載の商品販売データ処理システム。
【請求項７】
前記金種枚数設定手段における金種毎の払出枚数の設定が前記貨幣入出金部内に収納されている枚数を超えた場合には、超えた分について下位の金種に振り替える、
ことを特徴とする請求項５記載の商品販売データ処理システム。
【請求項８】
前記金種枚数設定手段における金種毎の払出枚数の初期値は、予め設定された両替金額に応じた払出パターンに基づいて決定される、
ことを特徴とする請求項５ないし７の何れか一記載の商品販売データ処理システム。
【請求項９】
商品の販売に係る販売データを処理する商品販売データ処理装置を制御するコンピュータに読取可能なプログラムであって、
貨幣を金種別に収納して収納された貨幣を払い出すようにした貨幣入出金装置とのデータ通信を司るデータ通信機能と、
両替処理を宣言する両替宣言機能と、
この両替宣言機能による宣言に応じ、金種毎の枚数を設定させる金種枚数設定機能と、
この金種枚数設定機能により設定された枚数を払い出すように前記データ通信機能を介して前記貨幣入出金装置に指示する払出枚数指示機能と、
を前記コンピュータに実行させることを特徴とするプログラム。
【請求項１０】
貨幣を金種別に収納して収納された貨幣を払い出すようにした貨幣入出金部と、商品の販売に係る販売データを処理する商品販売データ処理部とを具備する商品販売データ処理システムを制御するコンピュータに読取可能なプログラムであって、
両替処理を宣言する両替宣言機能と、
この両替宣言機能による宣言に応じ、金種毎の枚数を設定させる金種枚数設定機能と、
この金種枚数設定機能により設定された枚数を払い出すように前記貨幣入出金部に指示する払出枚数指示機能と、
を前記コンピュータに実行させることを特徴とするプログラム。
【発明の詳細な説明】
【技術分野】
【０００１】
本発明は、例えばスーパーマーケットやコンビニエンスストア等において使用されるＰＯＳ（Point of Sales：販売時点管理）端末等の商品販売データ処理装置、商品販売データ処理システム及びプログラムに関する。
【背景技術】
【０００２】
従来、貨幣入出金装置は、上位機たるＰＯＳ端末等の商品販売データ処理装置から受け取った釣銭払出データに基づいて、貨幣種類ごとの各枚数を払い出すものとして形成されている。
【０００３】
しかるに、顧客の中には、例えばバス代支払い便宜等のために、払い出された釣銭の中からある貨幣種類〔例えば、１００円コイン（Ａ１００）〕を他の貨幣種類〔例えば、１０円コイン（Ａ１０）〕に、両替してほしいと要求する者がある。
【０００４】
このような場合、従来は、オペレータが先の顧客から受取ったコインを予め手元に貯めておき、両替要求があった場合には商品登録業務等を中断し、かつ、所定枚数だけ貨幣種類別に選別して当該顧客に手渡しているのが実状である。
【０００５】
したがって、業務能率が低下するばかりか貨幣の紛失も生じ易く、さらに手元に貯めておく貨幣枚数が増大する程に貨幣入出金装置への貨幣補給が少なくなるので、自動払出しに支障を招くことがある。
【０００６】
そこで、特許文献１には、釣銭払出時両替宣言手段と、両替元貨幣種類入力手段と、両替元貨幣枚数入力手段と、両替元貨幣枚数減算出手段と、両替貨幣枚数加算出手段とを設け、両替元貨幣種類とその枚数とを入力するだけで釣銭の払出し時に併せて両替を実行することができる釣銭払出機付商品販売登録データ処理装置が提案されている。
【０００７】
【特許文献１】特許第３１２４７０５号公報
【発明の開示】
【発明が解決しようとする課題】
【０００８】
しかしながら、特許文献１の釣銭払出機付商品販売登録データ処理装置によれば、両替は釣銭の払出し時に限られ、かつ、両替貨幣は両替元貨幣の次に低額な貨幣に限られており、実用には不便である。
【０００９】
本発明は、両替を希望する者の両替内訳要求に応えることができる商品販売データ処理装置、商品販売データ処理システム及びプログラムを提供することを目的とする。
【課題を解決するための手段】
【００１０】
本発明は、商品の販売に係る販売データを処理する商品販売データ処理装置において、貨幣を金種別に収納して収納された貨幣を払い出すようにした貨幣入出金装置とのデータ通信を司るデータ通信手段と、両替処理を宣言する両替宣言手段と、この両替宣言手段による宣言に応じ、金種毎の枚数を設定させる金種枚数設定手段と、この金種枚数設定手段により設定された枚数を払い出すように前記データ通信手段を介して前記貨幣入出金装置に指示する払出枚数指示手段と、を備える。
【００１１】
したがって、両替宣言手段により両替処理が宣言されると、金種毎の枚数の設定が可能になり、金種毎の枚数が設定されると、設定された枚数を払い出すように貨幣入出金装置に対する指示がなされる。これにより、両替を希望する者の両替内訳要求に応えることが可能になる。
【００１２】
本発明は、貨幣を金種別に収納して収納された貨幣を払い出すようにした貨幣入出金部と、商品の販売に係る販売データを処理する商品販売データ処理部とを具備する商品販売データ処理システムにおいて、両替処理を宣言する両替宣言手段と、この両替宣言手段による宣言に応じ、金種毎の枚数を設定させる金種枚数設定手段と、この金種枚数設定手段により設定された枚数を払い出すように前記貨幣入出金部に指示する払出枚数指示手段と、を備える。
【００１３】
したがって、両替宣言手段により両替処理が宣言されると、金種毎の枚数の設定が可能になり、金種毎の枚数が設定されると、設定された枚数を払い出すように貨幣入出金部に対する指示がなされる。これにより、両替を希望する者の両替内訳要求に応えることが可能になる。
【発明の効果】
【００１４】
本発明によれば、両替を希望する者の両替内訳要求に応えることができる。
【発明を実施するための最良の形態】
【００１５】
本発明の実施の一形態を図１ないし図１４に基づいて説明する。
【００１６】
図１は、ＰＯＳ端末１、硬貨入出金装置２及び紙幣入出金装置３の外観を示す斜視図である。本実施の形態は、コンビニエンスストア等で使用される商品販売データ処理であるＰＯＳ端末１、このＰＯＳ端末１が載置される貨幣入出金装置である硬貨入出金装置２及び紙幣入出金装置３を備えたシステムへの適用例である。
【００１７】
[ＰＯＳ端末１の説明]
まず、商品販売データ処理としてのＰＯＳ端末１について説明する。本実施の形態のＰＯＳ端末１は、図１に示すように、硬貨入出金装置２及び紙幣入出金装置３上に載置されている。このＰＯＳ端末１には、各種のキーが集合するキーボード４、図示しない鍵によってＰＯＳ端末１の動作モードを登録モード・設定モード・精算モード・点検モード等の各業務モードに切り替え設定するためのコントロールキー５、プリンタ６（図５参照）によって印字される取引レシート等を発行するレシート発行口７及びジャーナル窓８が設けられている。また、ＰＯＳ端末１の右側上方には、操作者側の表示部として機能するディスプレイ９が配置され、このディスプレイ９の近傍には客側の表示部として機能する客側ディスプレイ１０が立設されている。なお、ディスプレイ９には、タッチパネルが積層されており、入力部としても機能する。さらに、このＰＯＳ端末１には、商品に付される商品コードを光学的に読み取るためのバーコードスキャナ１１が接続されている。加えて、クレジットカード（図示せず）の磁気ストライプに記録されたデータの読み取りを行うための磁気カードリーダ１２が、ＰＯＳ端末１の右側下方に設けられている。
【００１８】
ここで、図２はキーボード４の各種キーの配列を示す平面図である。キーボード４は、数字を入力するための「０」から「９」までの置数キー４ａ、売上登録処理において現金による決済を宣言するための締めキーである預／現計キー４ｂ、所定事項をクリアするクリアキーであるＣキー４ｃ、所定事項を確認した旨を宣言する確認キー４ｄ、所定事項や処理の中止を宣言する中止キー４ｅ、両替処理を宣言する両替宣言手段として機能する両替キー４ｆ、所定事項や処理の実行を宣言する実行キー４ｇ等をブロック毎に配列した外観構造を有している。また、４ａ〜４ｇ以外のキーについては、従来のＰＯＳ端末やＥＣＲが備えるキーであって本実施の形態のＰＯＳ端末１に特有の機能とは無関係であるため、その説明は省略する。
【００１９】
次に、ＰＯＳ端末１に備えられる各部の電気的接続を図３に基づいて説明する。図３に示すように、このＰＯＳ端末１は、Microcomputer（以下、マイコンという。）１３を内蔵し、このマイコン１３が、前述したキーボード４、コントロールキー５、プリンタ６、ディスプレイ９、客側ディスプレイ１０、バーコードスキャナ１１、磁気カードリーダ１２等の各部をバスライン１４と各種制御回路（図示せず）とを介して駆動制御する。また、マイコン１３は、ＣＰＵ（Central Processing Unit）１５にバスライン１４を介して、起動プログラム等の固定的データを格納する記録媒体であるＲＯＭ（Read Only Memory）１６と各種データを書き替え自在に格納するＲＡＭ（Random Access Memory）１７とを接続することにより構成されている。ＲＡＭ１７は、可変的なデータを書き替え自在に格納する機能を利用して、各種ワークエリアの機能を果たす。なお、ＲＡＭ１７は、バッテリ（図示せず）によってバックアップされている。
【００２０】
また、マイコン１３にはバスライン１４を介してＨＤＤ（Hard Disk Drive）１８が接続されており、このＨＤＤ１８には、マイコン１３を動作させる制御プログラムや商品マスタファイル、売上登録に係る売上情報を記憶保持する売上ファイル、顧客ファイル等が格納されている。
【００２１】
さらに、マイコン１３にはバスライン１４を介して通信Ｉ／Ｆ１９が接続されており、このＰＯＳ端末１は、硬貨入出金装置２及び紙幣入出金装置３等に接続可能になっている。すなわち、通信Ｉ／Ｆ１９は、貨幣入出金装置である硬貨入出金装置２及び紙幣入出金装置３とのデータ通信を司るデータ通信手段として機能する。
【００２２】
ここで、ＰＯＳ端末１に内蔵されたＨＤＤ１８に格納された制御プログラムがマイコン１３に実行させる機能の内、商品の販売に係る販売データ処理機能における処理動作について簡単に説明する。例えば、商品に付された商品コードをバーコードスキャナ１１によって読み取ると、マイコン１３は読み取った商品コードに基づいて商品マスタファイルを検索し、該当する商品コードに対応した商品名や単価等を読み出し、商品コード、商品名、単価等に基づいて売上登録処理するとともに、部門別登録やディスプレイ９や客側ディスプレイ１０への表示、またプリンタ２０により印字出力を行い、さらに売上登録した売上登録データを売上ファイルに累計する。
【００２３】
なお、本実施の形態においては、従来のＰＯＳ端末によって行われる処理と同様の処理についてはその説明を省略し、制御プログラムがマイコン１３に実行させる本発明に係る特徴的な機能については後述する。
【００２４】
[硬貨入出金装置２の説明]
次いで、貨幣入出金装置としての硬貨入出金装置２について説明する。図１に示すように、硬貨入出金装置２は、例えばＰＯＳ端末１の下段に配置されて使用される。図１に示すように、硬貨入出金装置２の筐体であるハウジング２１の右側手前には、硬貨を一括して投入する上方に開口した硬貨投入口２２が設けられている。この硬貨投入口２２には、光電的に硬貨の有無を検出する複数組の投入口センサ２３（図４参照）が設けられている。
【００２５】
ここで、図４は硬貨入出金装置２の内部構造を示す平面図、図５は硬貨入出金装置２の内部構造を示す縦断側面図である。ハウジング２１の内部には、駆動機構Ａが内蔵されている。以下において、駆動機構Ａについて詳述する。
【００２６】
硬貨投入口２２には、駆動源であるモータＭ（図６参照）に連結されて駆動され、投入された硬貨を奥に向けて搬送する投入口ベルト２４が設けられている。この投入口ベルト２４上には硬貨投入口２２の一端に位置させて不規則に投入された硬貨を一枚ずつ送り出すための投入口ローラ２５が設けられている。また、投入口ベルト２４には、モータＭ（図６参照）に連結されて駆動され、硬貨の送り速度を速めて所定の隙間をあけてそれぞれの硬貨を送ることができるように搬送速度を速めた搬送ベルト２６が連設されている。さらに、搬送ベルト２６の終端部分には、搬送方向を略直角に屈曲する硬貨案内部２７と、硬貨入出金装置２の幅方向に略平行に設けられ、硬貨案内部２７によって搬送方向が略直角に屈曲された硬貨を硬貨選別位置（後述する硬貨選別部３１）に搬送する搬送機構２８が設けられている。
【００２７】
したがって、投入口ベルト２４、投入口ローラ２５、搬送ベルト２６、硬貨案内部２７及び搬送機構２８によって、硬貨投入口２２に投入された硬貨を硬貨選別位置までの硬貨搬送経路を形成して搬送する硬貨搬送部２９が構成されている。
【００２８】
搬送機構２８の下方には、この搬送機構２８に沿わせて順次孔幅寸法が拡大する金種毎の選別孔３０が設けられ、ここに硬貨選別位置に位置し、搬送された硬貨を金種別に選別する硬貨選別部３１が形成されている。選別孔３０は、図４において右側から１円，５０円，５円，１００円，１０円，５００円の順にそれぞれの金種に対応する大きさで６個設けられている。そして、各選別孔３０には、金種毎に硬貨の枚数をカウントするための計数センサ３２が設けられている。選別孔３０は、順次孔幅寸法が拡大する金種毎の孔が形成された板状部材であって、仕切板３３により金種毎に仕切られた上方開口の硬貨収納部３４（３４ａないし３４ｆ）に連通している。
【００２９】
次に、硬貨収納部３４、硬貨待機部３９等について説明する。図５に示すように、硬貨収納部３４のそれぞれの金種毎の底面部分には、駆動源であるモータＭに連結されて駆動されるエンドレスベルトである硬貨払出ベルト３５が駆動ローラ３６と従動ローラ３７とに掛け渡されて設けられている。すなわち、モータＭは硬貨搬送方向下流側に位置する駆動ローラ３６を回転駆動することで、硬貨払出ベルト３５を引っ張りながら回転させることになる。そして、硬貨収納部３４の出口部には、硬貨を一枚毎に分離する分離ローラ３８が、硬貨払出ベルト３５に対して硬貨一枚が通過し得る間隔を隔てて配設され、かつ、全ての金種の出口部をそれらの金種毎に横断するように配設されている。
【００３０】
また、図５に示すように、硬貨払出ベルト３５の内周側には、硬貨払出ベルト３５の内周面を受ける略平板状のベルト案内板（ベルト案内部材）４０が配設され、全体として硬貨搬送方向下流側に向かうに従い高さが高くなるような昇斜面を形成するように傾斜配置されている。
【００３１】
分離ローラ３８よりも硬貨搬送方向下流には、所定枚数の硬貨を一列に整列させて、待機させる硬貨待機部３９が金種毎に設けられている。なお、硬貨待機部３９は、硬貨払出ベルト３５を備えており、硬貨払出経路としても機能する。
【００３２】
各硬貨待機部３９には、払出ソレノイド４１に連結されていてそれぞれ金種別に硬貨を一時的に停止させるとともに必要枚数の硬貨を送り出すように動作制御がなされる硬貨シャッタ４２がそれぞれ設けられている。
【００３３】
硬貨シャッタ４２の直後には、金種毎に払い出された硬貨の枚数を計数する光センサである払出センサ４３や、硬貨の材質を検出するための発振コイルである材質センサ４４がそれぞれ設けられている。
【００３４】
さらに、硬貨払出ベルト３５によって硬貨を金種別に落下させる硬貨払出位置であって、ハウジング２１の左側手前には、上面が開口した筐体状の硬貨払出口４５が配置されている。この硬貨払出口４５は、左側に偏位させて設けられている。また、この硬貨払出口４５の上方には、表示器４６及び各種の操作キー４７が設けられている。
【００３５】
続いて、このような構成の硬貨入出金装置２に内蔵される各部の電気的接続について図６を参照して説明する。図６は、硬貨入出金装置２に内蔵される各部の電気的接続を示すブロック図である。
【００３６】
図６に示すように、本実施の形態の硬貨入出金装置２は、Microcomputer（以下、マイコンという。）５１を内蔵し、このマイコン５１が各部を駆動制御する。マイコン５１は、各部を集中的に制御するＣＰＵ（Central Processing Unit）５２に、アドレスバス、データバス等のバスライン５３を介して、制御プログラム等の固定的データを予め格納するＲＯＭ（Read Only Memory）５４と、金種別の硬貨Ｃの枚数等の可変的なデータを書き換え自在に格納するＲＡＭ（Random Access Memory）５５と、ＰＯＳ端末が接続される通信インターフェース（Ｉ／Ｆ）５６とが接続されて構成されている。なお、ＲＡＭ５５は、バッテリ（図示せず）によってバックアップされている。
【００３７】
ＲＯＭ５４に格納された制御プログラムは、マイコン５１による各部の駆動制御を可能とする。こうしてマイコン５１によって駆動制御される各部として、本実施の形態の硬貨入出金装置２は、バスライン５３を介してマイコン５１に接続された操作表示部である表示器４６及び各種の操作キー４７、モータＭを駆動源とする駆動機構Ａ、及び払出ソレノイド４１を備える。そして、各種のセンサ類、つまり、投入口センサ２３、計数センサ３２、払出センサ４３及び材質センサ４４も、バスライン５３を介してマイコン５１に接続され、それらのセンシング結果がマイコン５１に伝達される。
【００３８】
投入口センサ２３、計数センサ３２、払出センサ４３及び材質センサ４４等のセンサ類は、例えば硬貨Ｃを光学的に検出した信号やコイルの電圧の変動等をマイコン５１に伝達するものであり、この検出信号に基づいてマイコン５１が各モータＭを駆動制御する。また、払出ソレノイド４１は、マイコン５１から出力される信号に基づき駆動制御され、通電（ＯＮ）されることで硬貨シャッタ４２を硬貨払出ベルト３５から離反する方向に変位させ、指定された枚数だけ硬貨Ｃを払い出す。なお、払出ソレノイド４１は、ここでは１つしか図示しないが、実際には各金種毎に個々にマイコン５１によって制御される。
【００３９】
ここで、硬貨入出金装置２に内蔵されたＲＯＭ５４に格納された制御プログラムがマイコン５１に実行させる機能に基づく処理動作について簡単に説明する。硬貨Ｃが硬貨投入口２２に投入されると、投入口センサ２３がその硬貨Ｃを検出し、この検出信号により投入口ベルト２４、投入口ローラ２５、搬送ベルト２６、搬送機構２８が駆動される。そして、硬貨投入口２２に投入された硬貨Ｃは、投入口ベルト２４と投入口ローラ２５との間で１枚ずつ分離されて搬送される。その後、搬送ベルト２６により搬送される硬貨Ｃは、硬貨案内部２７によって搬送方向が略直角に屈曲され、搬送ベルト２６から搬送機構２８に受け渡され、硬貨選別部３１で金種毎の選別がなされる。すなわち、硬貨Ｃは、金種に応じて選別孔３０から落下し、硬貨収納部３４ａ〜３４ｆに金種別に収納される。そして、選別孔３０から落下した硬貨Ｃは、計数センサ３２によりその数がカウントされる。計数センサ３２による各カウント数は、ＰＯＳ端末１に通知される。
【００４０】
また、硬貨待機部３９に硬貨Ｃがない場合には、硬貨払出ベルト３５が駆動されて硬貨待機部３９に所定枚数の硬貨Ｃが常に存在するように動作制御がなされる。
【００４１】
次いで、ＰＯＳ端末１において締め処理がなされ、ＰＯＳ端末１より硬貨Ｃの払出命令があった場合には、硬貨払出ベルト３５が駆動されるとともに、金種毎に硬貨シャッタ４２が払出ソレノイド４１によって駆動されるため、必要枚数の硬貨Ｃが送り出される。このように送り出された硬貨Ｃは、硬貨払出口４５に払い出される。
【００４２】
[紙幣入出金装置３の説明]
次いで、貨幣入出金装置としての紙幣入出金装置３について説明する。図１に示すように、紙幣入出金装置３は、例えばＰＯＳ端末１の下段に配置されて使用される。
【００４３】
ここで、図７は紙幣入出金装置３の構成を模式的に示す説明図である。図１及び図７に示すように、紙幣入出金装置３の筐体であるハウジング６１の前部側の上部位置に入金口部６２が、前部側下部位置に出金口部６３がそれぞれ開口され、これら入金口部６２と出金口部６３との間の位置に回収カセット６４が抜取り可能に設けられている。
【００４４】
入金口部６２は、複数枚の紙幣を同時に挿入し得る入金口６２ａを有している。出金口部６３は、ハウジング６１の前面６１ａより若干突出し、複数枚の紙幣を同時に排出し得る出金口６３ａを有している。回収カセット６４は、扁平な箱構造を有し、ハウジング６１の前端から奥方向に向けて形成されたハウジング６１内にスライド可能に挿入されている。
【００４５】
また、ハウジング６１の後部側に、紙幣を金種別に収納し繰出しする金種別紙幣収納部６５，６６が上下に重層状に配設されている。
【００４６】
なお、本実施の形態では、上位の金種別紙幣収納部６５を５千円紙幣用とされ、下位の金種別紙幣収納部６６が千円紙幣用とされており、回収カセット６４は１万円紙幣および前記各収納部６５，６６でのオーバーフロー紙幣が収納される。
【００４７】
そして、前記入金口部６２、回収カセット６４、出金口部６３と金種別紙幣収納部６５，６６との間には、前記入金口部６２、回収カセット６４、出金口部６３の各後端位置、すなわち入金口部６２の繰込み口６２ｂ、回収カセット６４の入口６７、出金口部６３の入口６３ｂへの各通路を集約する搬送路６８と、各金種別紙幣収納部６５，６６の先端位置の各出入口６９，７０への各通路を集約する搬送路７１とを接続する側面視略Ｓ字状（図では裏面側から見ているので左右逆）をなす１本の搬送通路７２が配設されている。
【００４８】
このような紙幣入出金装置３における紙幣の搬送系は、図７に示すように、紙幣入出金装置３のハウジング６１の前部側に配設される入金口部６２の後端位置の繰込み口６２ｂ、回収カセット６４の後端位置の入口６７、出金口部６３の後端位置入口６３ｂへの各通路を集約した搬送路６８と、ハウジング６１の後部側に配設された金種別紙幣収納部６５，６６の前端位置の出入口６９，７０への通路を集約した搬送路７１と、これら搬送路６８，７１を接続する側面視略Ｓ字状（図では裏面側から見ているので左右逆）の１本の搬送通路７２とで構成されている。
【００４９】
また、回収カセット６４への分岐部、出金口部６３への分岐部、上部の金種別紙幣収納部６５への分岐部にはそれぞれ切換爪（図示せず）が設けられており、各切換爪は後述するマイコン８４からの指令に基づいて各ソレノイド９０（図８参照）により切換え動作されるようになっている。
【００５０】
入金口部６２には、紙幣の挿入を光電的に検出する投入口センサ８１（図８参照）と挿入された紙幣の種別を判別する紙幣種別判別センサ８２（図８参照）とが設けられている。また、紙幣の搬送系の各部には、紙幣の有無を光電的に検出する紙幣センサ８３（図８参照）が設けられている。
【００５１】
続いて、このような構成の紙幣入出金装置３に内蔵される各部の電気的接続について図８を参照して説明する。図８は、紙幣入出金装置３に内蔵される各部の電気的接続を示すブロック図である。
【００５２】
図８に示すように、本実施の形態の紙幣入出金装置３は、Microcomputer（以下、マイコンという。）８４を内蔵し、このマイコン９４が各部を駆動制御する。マイコン８４は、各部を集中的に制御するＣＰＵ（Central Processing Unit）８５に、アドレスバス、データバス等のバスライン８６を介して、制御プログラム等の固定的データを予め格納するＲＯＭ（Read Only Memory）８７と、金種別の紙幣の枚数等の可変的なデータを書き換え自在に格納するＲＡＭ（Random Access Memory）８８と、ＰＯＳ端末が接続される通信インターフェース（Ｉ／Ｆ）８９とが接続されて構成されている。なお、ＲＡＭ８８は、バッテリ（図示せず）によってバックアップされている。
【００５３】
ＲＯＭ８７に格納された制御プログラムは、マイコン８４による各部の駆動制御を可能とする。こうしてマイコン８４によって駆動制御される各部として、本実施の形態の紙幣入出金装置３は、バスライン８６を介してマイコン８４に接続されたモータＭを駆動源として紙幣の搬送系を構成する駆動機構９１及びソレノイド９０を備える。そして、各種のセンサ類、つまり、投入口センサ８１、紙幣種別判別センサ８２及び紙幣センサ８３も、バスライン８６を介してマイコン８４に接続され、それらのセンシング結果がマイコン８４に伝達される。
【００５４】
ここで、紙幣入出金装置３に内蔵されたＲＯＭ８７に格納された制御プログラムがマイコン８４に実行させる機能に基づく処理動作について簡単に説明する。紙幣が入金口部６２に挿入されると、投入口センサ８１がその紙幣を検出し、この検出信号により駆動機構９１が駆動される。そして、入金口部６２に挿入された紙幣は、駆動機構９１により１枚ずつ分離されて搬送される。
【００５５】
その過程で、紙幣種別判別センサ８２の出力信号によって紙幣の金種が判別される。紙幣の金種判別は、例えば、紙幣の搬送速度から認識可能な紙幣の長さに基づいてなされる。もっとも、紙幣種別判別センサ８２として、紙幣の特徴を採取可能なセンサを設ければ、紙幣の特徴に基づいて紙幣の金種を判別することも可能である。
【００５６】
紙幣の金種が判別されたら、その金種が対応する金種別紙幣収納部６５，６６又は回収カセット６４に搬送中の紙幣を収納する。そのために、マイコン８４は、紙幣を収納しようとする金種別紙幣収納部６５，６６又は回収カセット６４の近傍に紙幣が到達する直前にソレノイド９０を駆動し、切換爪を回動させる。これにより、紙幣は、金種対応の金種別紙幣収納部６５，６６又は回収カセット６４に収納される。そして、金種が判別された紙幣は、その数がカウントされる。各カウント数は、ＰＯＳ端末１に通知される。
【００５７】
次いで、ＰＯＳ端末１において締め処理がなされ、ＰＯＳ端末１より紙幣の払出命令があった場合には、駆動機構９１が駆動され、必要枚数の紙幣が送り出される。このように送り出された紙幣は、出金口６３ａに払い出される。
【００５８】
[両替機能についての説明]
続いて、ＰＯＳ端末１に内蔵されたＨＤＤ１８に格納された制御プログラムがマイコン１３に実行させる両替機能について説明する。
【００５９】
図９は、両替処理の流れを示すフローチャートである。図９に示すように、ＰＯＳ端末１のマイコン１３は、両替キー４ｆが押下されたと判断すると（ステップＳ１のＹ）、両替キー４ｆ押下前に置数キー４ａの押下による置数があったか否かを判断する（ステップＳ２）。
【００６０】
両替キー４ｆ押下前に置数キー４ａの押下による置数があったと判断した場合には（ステップＳ２のＹ）、置数を“投入予定額”としてディスプレイ９の画面に表示し（ステップＳ３）、硬貨入出金装置２及び紙幣入出金装置３からの投入貨幣のカウント数を受信すると（ステップＳ４のＹ）、投入金額を画面表示する（ステップＳ５）。
【００６１】
図１０は、ディスプレイ９の画面に表示されている両替金額計数ダイアログを示す正面図である。両替金額計数ダイアログの「投入予定額」領域は、入力（置数）された金額を表示する領域である。なお、入力（置数）されなかった場合には（ステップＳ２のＹ）、投入予定額を非表示にする。両替金額計数ダイアログの「投入額」領域は、硬貨入出金装置２及び紙幣入出金装置３への貨幣の投入合計額を表示する。また、硬貨入出金装置２及び紙幣入出金装置３に対して新たに投入された貨幣のカウント数を受信すると、「投入額」領域の投入合計額が更新される。両替金額計数ダイアログの「差額」領域は、投入額と投入予定額の差額を表示する。なお、投入予定額が表示されていない場合には、表示しない。一方、図１１は、客側ディスプレイ１０の画面表示を示す正面図である。図１１に示すように、客側ディスプレイ１０には、ディスプレイ９の画面に表示されている両替金額計数ダイアログの「投入額」領域と同じ投入合計額を表示する。
【００６２】
ステップＳ４〜Ｓ５の処理は、ステップＳ６でキー操作があったと判断されるまで、繰り返される。
【００６３】
ステップＳ６で確認キー４ｄが押下されたと判断した場合には、ステップＳ７に進み、“投入予定額”と実際の投入額とを比較する。なお、ステップＳ６で中止キー４ｅが押下されたと判断した場合には、硬貨入出金装置２及び紙幣入出金装置３に対して投入額を全額排出する旨の通知をして（ステップＳ１６）、ステップＳ１に戻る。
【００６４】
実際の投入額が“投入予定額”よりも少ない場合には、ステップＳ８に進み、ディスプレイ９及び客側ディスプレイ１０に例えば「投入金額が不足しています」というエラー表示をし、Ｃキー４ｃが押下されたことを条件として（ステップＳ９のＹ）、ステップＳ４に戻り、硬貨入出金装置２及び紙幣入出金装置３からの投入貨幣のカウント数の受信に待機する。すなわち、投入金額が不足している場合には、Ｃキー４ｃを押下した後、不足分を硬貨入出金装置２及び紙幣入出金装置３に投入することになる。
【００６５】
一方、実際の投入額が“投入予定額”と同じ場合、または、“投入予定額”の入力（置数）が無かった場合には、硬貨入出金装置２及び紙幣入出金装置３に対して貨幣の投入を禁止する「投入停止」信号を通知し（ステップＳ１０）、投入金額を両替金額として「レジ両替処理」を実行し（ステップＳ１１）、処理を終了する。「レジ両替処理」については、後述する。
【００６６】
また、実際の投入額が“投入予定額”よりも多い場合には、ステップＳ１２に進み、ディスプレイ９及び客側ディスプレイ１０に例えば「投入予定額を超えた金額が投入されました。投入予定額を変更しますか？」というワーニング表示をする。その後、確認キー４ｄが押下されたことを条件として（ステップＳ１３のＹ）、余剰金額（投入金額−投入額）の排出信号を硬貨入出金装置２及び紙幣入出金装置３に対して送信した後（ステップＳ１４）、ステップＳ１０に進み、硬貨入出金装置２及び紙幣入出金装置３に対して貨幣の投入を禁止する「投入停止」信号を通知し、投入金額を預り金額として支払い処理を実行し（ステップＳ１１）、処理を終了する。すなわち、投入金額が多い場合に確認キーが押下された場合、余剰金額（投入金額−投入額）を排出した後、両替がなされることになる。
【００６７】
なお、中止キー４ｅが押下されたと判断した場合には（ステップＳ１５のＹ）、硬貨入出金装置２及び紙幣入出金装置３に対して投入額を全額排出する旨の通知をして（ステップＳ１６）、ステップＳ１に戻る。すなわち、投入金額が多い場合に中止キー４ｅが押下された場合、硬貨入出金装置２及び紙幣入出金装置３に投入された投入額が全額排出されることになる。
【００６８】
次に、ステップＳ１１における「レジ両替処理」について説明する。ここで、図１２はレジ両替処理の流れを示すフローチャートである。図１２に示すように、レジ両替処理においては、まず、払い出し金種枚数を算出する（ステップＳ２１）。本実施の形態においては、払い出し金種枚数の算出は、実際の投入額を“払い出しパターン”と比較することにより行う。図１３は、“払い出しパターン”を例示的に示す説明図である。“払い出しパターン”は、例えば、投入額が１０，０００円の場合には、５，０００円が１枚と１，０００円が５枚というように設定されている。
【００６９】
そして、“払い出しパターン”に実際の投入額に一致するパターンが存在する場合には（ステップＳ２２のＹ）、その払い出しパターンを仮決定した後（ステップＳ２３）、当該払い出しパターンで硬貨入出金装置２及び紙幣入出金装置３の在り高を超える金種があるか否かを判断する（ステップＳ２４）。すなわち、ステップＳ２４においては、ＰＯＳ端末１マイコン１３は、硬貨入出金装置２及び紙幣入出金装置３における各金種の在り高を取得することになる。
【００７０】
一方、“払い出しパターン”に実際の投入額に一致するパターンが存在しない場合には（ステップＳ２２のＮ）、払い出しパターンを生成するパターン生成処理を実行する（ステップＳ２５）。具体的には、
１．両替額以下の一番大きい払い出しパターン金額により枚数を算出する。
２．払い出しパターン金額で余り金額を求める。
３．余り金額を大きい金種から順に払い出し可能枚数を追加し余りが０になるまで割る。
そして、パターン生成処理により生成された払い出しパターンで硬貨入出金装置２及び紙幣入出金装置３の在り高を超える金種があるか否かを判断する（ステップＳ２４）。
【００７１】
硬貨入出金装置２及び紙幣入出金装置３の在り高を超える金種があると判断した場合には（ステップＳ２４のＮ）、硬貨入出金装置２及び紙幣入出金装置３の在り高を超える金種の払い出し枚数補正処理を実行した後（ステップＳ２６）、両替金額を金種毎にディスプレイ９の画面（両替金額計数ダイアログ）に表示する（ステップＳ２７）。払い出し枚数補正処理は、例えば、払い出し枚数が紙幣入出金装置３の在り高を超える金種が「１０００円」であった場合には、「５００円」に振り分ける。なお、両替金額計数ダイアログにおいては、金種毎の在り高を超える枚数は指定できないし、両替金額を超える金種毎の枚数指定はできない。
【００７２】
一方、硬貨入出金装置２及び紙幣入出金装置３の在り高を超える金種がないと判断した場合には（ステップＳ２４のＹ）、そのまま両替金額を金種毎にディスプレイ９の画面（両替金額計数ダイアログ）に表示する（ステップＳ２７）。
【００７３】
以上ステップＳ２２〜Ｓ２７により、金種毎の枚数を設定させる金種枚数設定手段の機能が実行される。
【００７４】
ここで、図１４は両替金額計数ダイアログに表示された両替例を示す正面図である。図１４に示す両替金額計数ダイアログの「最大枚数」領域は、各金種の硬貨入出金装置２及び紙幣入出金装置３に存在する枚数（在り高）を表示する領域である。「払出枚数」領域は、金種毎に指定された枚数を表示する領域である。
【００７５】
続くステップＳ２８においては、このような両替金額計数ダイアログが表示されている状態での各種キー操作に待機する。
【００７６】
このような両替金額計数ダイアログが表示されている状態で実行キー４ｇが押下されると、硬貨入出金装置２及び紙幣入出金装置３に対して両替金額を金種毎に払い出させる旨の信号を通知し（ステップＳ２９：払出枚数指示手段）、両替金額を金種毎に払い出させる。
【００７７】
また、中止キー４ｅが押下されると、硬貨入出金装置２及び紙幣入出金装置３に対して投入額を全額排出する旨の通知し（ステップＳ３０）、投入額を全額排出する。
【００７８】
一方、両替金額計数ダイアログの「払出枚数」領域の数値の変更がキー操作によりなされた場合には（ステップＳ３１）、再びステップＳ２７に戻り、変更後の両替金額を金種毎にディスプレイ９の画面（両替金額計数ダイアログ）に表示する。「払出枚数」領域の数値の変更は、「払出枚数」領域の数値を置数キー４ａの押下による置数後に確認キー４ｄを押下することにより直接変更しても良いし、金種毎に設けられた「＋」ボタンや「−」ボタンを押下することにより、金種毎の枚数をアップ／ダウンするようにしても良い。
【００７９】
このように本実施の形態においては、両替キー４ｆが押下されることにより両替処理が宣言されると、金種毎の枚数の設定が可能になり、金種毎の枚数が設定されると、設定された枚数を払い出すように貨幣入出金装置に対する指示がなされる。これにより、両替を希望する者の両替内訳要求に応えることが可能になる。
【００８０】
なお、本実施の形態においては、ＰＯＳ端末１、硬貨入出金装置２、紙幣入出金装置３の各筐体をそれぞれ別体で形成するようにしたが、これに限るものではなく、各筐体をそれぞれ一体化して形成して商品販売データ処理システムとして動作するようにしても良い。この場合、硬貨入出金装置２及び紙幣入出金装置３が貨幣入出金部であり、ＰＯＳ端末１が商品販売データ処理部である。
【００８１】
また、本実施の形態では、制御プログラムがＨＤＤ１８に格納されていたが、これに限るものではなく、フレキシブルディスク、ＣＤ−ＲＯＭ（いずれも図示せず）等の各種記憶媒体に制御プログラムを格納しても良い。なお、フレキシブルディスク、ＣＤ−ＲＯＭは、ＰＯＳ端末１に固定的に設けられておらず、単体で取り扱える交換自在な記憶媒体としての形態を備え、フレキシブルディスクドライブやＣＤ−ＲＯＭドライブ（いずれも図示せず）を用いることによって制御プログラムを読み出すことでマイコン１３による各種処理が可能になる。
【図面の簡単な説明】
【００８２】
【図１】本発明の実施の一形態のＰＯＳ端末、硬貨入出金装置及び紙幣入出金装置の外観を示す斜視図である。
【図２】キーボードの各種キーの配列を示す平面図である。
【図３】ＰＯＳ端末に備えられる各部の電気的接続を示すブロック図である。
【図４】硬貨入出金装置の内部構造を示す平面図である。
【図５】硬貨入出金装置の内部構造を示す縦断側面図である。
【図６】硬貨入出金装置に内蔵される各部の電気的接続を示すブロック図である。
【図７】紙幣入出金装置の構成を模式的に示す説明図である。
【図８】紙幣入出金装置に内蔵される各部の電気的接続を示すブロック図である。
【図９】両替処理の流れを示すフローチャートである。
【図１０】ディスプレイの画面に表示されている両替金額計数ダイアログを示す正面図である。
【図１１】客側ディスプレイの画面表示を示す正面図である。
【図１２】レジ両替処理の流れを示すフローチャートである。
【図１３】“払い出しパターン”を例示的に示す説明図である。
【図１４】両替金額計数ダイアログに表示された両替例を示す正面図である。
【符号の説明】
【００８３】
１…商品販売データ処理装置，商品販売データ処理部、２…貨幣入出金装置，貨幣入出金部、３…貨幣入出金装置，貨幣入出金部、４ｆ…両替宣言手段、１９…データ通信手段
【図１】
2005228100.tif 000003
【図２】
2005228100.tif 000004
【図３】
2005228100.tif 000005
【図４】
2005228100.tif 000006
【図５】
2005228100.tif 000007
【図６】
2005228100.tif 000008
【図７】
2005228100.tif 000009
【図８】
2005228100.tif 000010
【図９】
2005228100.tif 000011
【図１０】
2005228100.tif 000012
【図１１】
2005228100.tif 000013
【図１２】
2005228100.tif 000014
【図１３】
2005228100.tif 000015
【図１４】
2005228100.tif 000016